(57)【要約】  本発明は、計時器のレートが良好であることを確実にするためにムーブメントをケースに入れた後に計時器のレートを調整する方法に関する。【選択図】  図１
2019526047.tif 000002
【特許請求の範囲】
【請求項１】
計時器のレートを調整する方法（１）であって、
バランス／バランスばね共振器を備えるムーブメントを計時器用ケース内にてマウントするステップ（３）と、
計時器のレートを測定するステップ（５）と、
所望のレートを得るようにバランス（１１、２１）の慣性に適用する補正値を決めるステップ（７）と、及び
前記バランス（１１、１２）に材料（１５1、１５2、１５3、１５4、２５2、２５4）を加えることによって、前記補正値に応じて前記バランス（１１、２１）の慣性を変えるステップ（９）と
を有する方法（１）。
【請求項２】
前記レートの測定は、前記バランス／バランスばね共振器と接触せずに行われる
請求項１に記載の方法（１）。
【請求項３】
前記レートの測定は、光学的又は音響的に行われる測定である
請求項２に記載の方法（１）。
【請求項４】
前記補正値は、測定されたレートと所望の共振器の周波数を比較することによって決められる
請求項１〜３のいずれかに記載の方法（１）。
【請求項５】
前記補正値は、前記バランスの重心を変えずに前記バランス（１１、２１）の慣性を変えるような前記バランスに対する少なくとも２つの質量体（１５1、１５2、１５3、１５4、２５2、２５4）の対称的な構成に対応している
請求項４に記載の方法（１）。
【請求項６】
前記補正値は、測定されたレートを、一方では非平衡と、他方では所望の共振器の周波数と比較することによって決められる
請求項１〜３のいずれかに記載の方法（１）。
【請求項７】
前記補正値は、前記バランス（１１、２１）の慣性及び重心を変えるような前記バランス（１１、２１）に対する少なくとも１つの質量体（１５1、１５2、１５3、１５4、２５2、２５4）の非対称な構成に対応している
請求項６に記載の方法（１）。
【請求項８】
前記材料（１５1、１５2、１５3、１５4、２５2、２５4）の追加は、前記バランス（１１、２１）に対して材料（１５1、１５2、１５3、１５4、２５2、２５4）を射出する段階によって行われる
請求項７に記載の方法（１）。
【請求項９】
前記材料（１５1、１５2、１５3、１５4、２５2、２５4）は、接着剤、塗料又は金属懸濁液を含有する
請求項８に記載の方法（１）。
【請求項１０】
前記材料（１５1、１５2、１５3、１５4、２５2、２５4）を射出する段階の後に、射出された材料（１５1、１５2、１５3、１５4、２５2、２５4）を固化させる段階がある
請求項８又は９に記載の方法（１）。
【発明の詳細な説明】
【技術分野】
【０００１】
本発明は、計時器のレート調整方法に関し、より詳細には、計時器のレートが良好であることを確実にするためにバランス／バランスばねタイプの共振器を備える計時器用ムーブメントの調整に関する。
【背景技術】
【０００２】
ケース内に配置される前に異なる姿勢の計時器用ムーブメントのレートを調整して、製造される計時器の異方性曲線を可能な限り最適化することが知られている。このようなレート調整方法は、例えば、欧州特許ＥＰ１１７２７１４に開示されている。
【０００３】
しかし、ケースの外部で正確にセットされたムーブメントのレートが着用時に変動する傾向があることがわかっている。
【発明の概要】
【発明が解決しようとする課題】
【０００４】
本発明は、計時器のレートを調整する新規な方法を提案することによって前記課題のすべて又は一部を克服することを目的とする。
【課題を解決するための手段】
【０００５】
このために、本発明は、計時器のレートを調整する方法に関し、
バランス／バランスばね共振器を備えるムーブメントを裏蓋がない又は裏蓋全体がない計時器用ケース内にてマウントするステップと、
計時器のレートを測定するステップと、
所望のレートを得るようにバランスの慣性に適用する補正値を決めるステップと、及び
前記裏蓋がない又は裏蓋全体がないケース内に前記ムーブメントを取り付け、前記バランスに材料を加えることによって、前記補正値に応じて前記バランスの慣性を変えるステップと
を有する。
【０００６】
このような状況で、調整は、単に素のムーブメント、すなわち、ケース内にまだ配置されていないムーブメント、に対して行うのではなく、好ましいことに、本発明によると、計時器の製造プロセスの最終段階において付加的な調整を行って、計時器を正確に調整する。この正確な調整は、ムーブメントがケース内に配置されたときに発生するレートの変化を考慮に入れている。これには、例えば、ケースに入れる操作によってムーブメントに応力が発生したとき、及び／又はケースの閉じた環境によって空気力学的な変化が発生したときのものがある。
【０００７】
本発明の他の有利な形態は、以下の特徴がある。
−  前記レートの測定は、前記バランス／バランスばね共振器と接触せずに行われる。
−  前記レートの測定は、光学的又は音響的に行われる測定である。
−  前記補正値は、測定されたレートと所望の共振器の周波数を比較することによって決められる。
−  前記補正値は、前記バランスの重心を変えずに前記バランスの慣性を変えるような前記バランスに対する少なくとも２つの質量体の対称的な構成に対応している。
−  前記補正値は、測定されたレートを、一方では非平衡と、他方では所望の共振器の周波数と比較することによって決められる。
−  前記補正値は、前記バランスの慣性及び重心を変えるような前記バランスに対する少なくとも１つの質量体の非対称な構成に対応している。
−  前記材料の追加は、前記バランスに対して材料を射出する段階によって行われる。
−  前記材料は、接着剤、塗料又は金属懸濁液を含有する。
−  材料を射出する段階があり、その後に、射出された材料を固化させる段階がある。
【０００８】
図面を参照しながら例として与えられる以下の説明を読むことで、他の特徴及び利点が明白になるであろう。
【図面の簡単な説明】
【０００９】
【図１】本発明に係る調整方法の流れ図である。
【図２】調整の後のバランスの平面図である。
【図３】図２の断面Ａ−Ａに沿った断面図である。
【図４】図３の代替構成の断面図である。
【発明を実施するための形態】
【００１０】
本発明は、計時器のレート調整方法に関する。本発明は、より詳細には、バランス／バランスばねタイプの共振器を備える計時器用ムーブメントの調整に関する。
【００１１】
この種のバランス／バランスばね共振器は、一般的に、慣性を与えるバランス及び弾性を与えるバランスばねを有しており、これらは、同じ軸上にマウントされる。この共振器において、既知の形態で、バランス慣性モーメントＩが以下の式のようになる。
【００１２】
【数１】
2019526047.tif 000003
【００１３】
ここで、ｍは、バランスの質量を表しており、ｒは、バランスの曲率半径を表している。この曲率半径は、バランスの膨脹係数αbを通して温度にも依存している。
【００１４】
また、既知の形態で、一定の断面のバランスばねの弾性連結Ｃは、以下の式のようになる。
【００１５】
【数２】
2019526047.tif 000004
【００１６】
ここで、Ｅは、用いられる材料のヤング率であり、ｈは高さであり、ｅは厚みであり、Ｌは、展開された長さである。
【００１７】
最後に、バランス／バランスばね共振器の周波数ｆは、以下の式のようになる。
【００１８】
【数３】
2019526047.tif 000005
【００１９】
これらの３つの一般式及びムーブメントの構造から、ケース内に配置される前に、異なる姿勢における計時器用ムーブメントのレートを調整して、製造する計時器の異方性曲線をできるだけ最適化することが知られている。この調整には、特に、バランスの非平衡、バランスばねの偏心的な展開、又はエスケープによって発生する損失を適応させることを伴う。
【００２０】
しかし、正確に調整されたムーブメントのレートが着用時に変動する傾向があることがわかった。分析すると、ケースに入れられる操作によってムーブメント上にて発生する応力及びケースの閉じた環境によって発生する空気力学的な変化に起因して、ムーブメントがケース内に配置されたときにレートが相当に変化することがわかった。
【００２１】
このように、本発明に係る方法１が、調整されるムーブメントを、製造される計時器用ケース内にマウントする第１のステップ３を有することが必要であるように考えられる。すなわち、本方法は、バランス／バランスばね共振器を備えるムーブメントをケース内に配置することによって開始する。
【００２２】
第２のステップ５は、計時器、すなわち、ケースに入れられたムーブメント、のレートを測定するように意図されている。好ましくは、レートの測定は、バランス／バランスばね共振器と接触せずに行われる。実際に、ムーブメントが既にケース内にあるので、共振器へのアクセスは特に制限される。このように、既知の形態で、計時器のレートの測定を、例えば、光学的又は音響的に、行うことができる。
【００２３】
この第２のステップ５は、以下の２つの理由によって重要である。すなわち、一方では、測定されたレートを所望のレートと比較することを可能にする。他方では、バランスのビートを知って、材料の射出プロセスと同期させて、バランス上に正確に材料を堆積させることが可能になる。
【００２４】
方法１は、バランス慣性に適用される補正値を決めて所望のレートを得るように意図されている第３のステップ７によって続く。
【００２５】
第１の実施形態によるとステップ７において、特に上記式（１）〜（３）によって、測定されたレートを共振器に対する所望の周波数と比較することによって補正値を決める。
【００２６】
上で説明したように、最後のステップ９がバランスに材料を加えることを意図しているので、本発明に係る調整によって、バランス慣性モーメントＩが増加することのみが可能になる。したがって、ケースに入れられたムーブメントが、好ましくは、進みを有するように構成していることは明らかであり、この進みが最後のステップ９において補正される。
【００２７】
このように、第１の実施形態において、補正値は、バランス上の少なくとも２つの質量体の対称的な構成に対応しており、これによって、バランスの重心を変えずにバランス慣性を変える。補正値が所望の堆積の数に応じて均等に分布することは明らかである。例として（これに限定されない）、材料がバランスリム上に堆積される場合、補正値が所望の堆積の数によって割られ、各堆積が、３６０°を所望の堆積の数によって割った角度δごとに、リム上にわたって分布する。
【００２８】
第２の実施形態において、ステップ７において、補正値は、特に、上記の式（１）〜（３）によって、所望の共振器の非平衡に対して、一方では、測定されたレートを比較することによって、他方では、周波数を比較することによって、決められる。したがって、第２の実施形態が第１の実施形態よりも多くのパラメーターを考慮することは明らかである。また、第２のステップ５が、少なくとも４つの通常の鉛直方向のテスト姿勢におけるバランス振幅を考慮して、バランスを釣り合わせることができることも非常に明白である。実際に、重力によって、非平衡は、バランスばねの戻しトルクに加えられるトルクを発生させて、結果的に、レートの誤りを発生させる。
【００２９】
上で説明したように、最後のステップ９がバランスに材料を加えることを意図しているので、本発明に係る調整によって、バランス慣性モーメントＩが増加されることのみが可能になる。したがって、ケースに入れられたムーブメントが、好ましくは、進みを有するように構成していることは明らかであり、この進みは、最後のステップ９において補正される。
【００３０】
第２の実施形態において、補正値は、バランス上の材料の少なくとも１つの質量体の非対称的な分布に対応しており、これによって、バランス慣性とその重心を変える。所望の堆積の数に応じてバランスを釣り合わせたりバランスにて非平衡を形成したりするように補正値が均等に分布することは明らかである。例として（これに限定されない）、材料がバランスリム上に堆積される場合、補正値は、所望の堆積の数によって割られる。次に、所望の非平衡の補正に応じて、重み付け操作が行われる。したがって、平衡化操作が、非対称的な材料の堆積によって構成していることができることは明らかである。この非対称的な材料の堆積は、すなわち、バランスの特定の区画において他よりも大きい数の堆積がある場合、及び／又はバランスの特定の区画における少なくとも１つの堆積にて質量が他よりも大きい場合である。
【００３１】
いずれの実施形態においても、方法１は、前記補正値に応じてバランスに材料を加えることによってバランス慣性を変えるように意図された第４のステップ９によって終了する。
【００３２】
このステップ９は、好ましくは、バランスに材料を射出する段階にて材料を加えることによって行う。このステップ９は、例えば、裏蓋がない又は裏蓋全体がないケースにムーブメントを取り付けることによって行うことができる。
【００３３】
この射出段階は、好ましくは、非常に小さな堆積の材料で非常に正確に射出することができるOptomec Aerosol Jetプリンターを用いて行うことができる。しかし、マスクを用いない他のいずれの射出又はプリント技術も可能である。１つの形態において（これに限定されない）、バランス上に堆積される材料は、接着剤、塗料又は金属懸濁液を含有することができる。
【００３４】
好ましくは、材料を射出する段階の後に、射出された材料を固化させる固化段階がある。用いられる材料に応じて、この第２の段階は、溶媒を蒸発させること、材料を熱硬化させること、材料を交差結合させることを伴うことができる。好ましくは、本発明によると、第１の段階にてバランス上に高分子を堆積し、そして、第２の段階にて紫外線照射によって交差結合させる。このことは、何らかの汚染物質がムーブメント内に意図せずに入ってしまうことを可能な限り防ぐ。
【００３５】
ステップ９は、静的に（バランスが動かない）又は動的に（ムーブメントが稼働している）行うことができる。動的に行う場合、上で説明したように、実施形態に応じて、バランスのビートを判断して、そして、可能性としては、テスト姿勢に応じて、材料の射出を同期させてバランス上に材料を正確に堆積させるために、第２のステップ５は重要である。
【００３６】
図２〜３は、方法１に係る調整の後に変更されたバランス１１の例を示している。図２及び３の例に示しているように、第１の実施形態に係るステップ９は、補正値を、バランス１１のリム１３上に９０°ごとに配置された４つの同一の質量体１５1、１５2、１５3、１５4に分けて、計時器を正確に調整することを伴う。
【００３７】
意図せずにムーブメントに入る汚染物質をさらに抑えるように意図された代替形態において、バランス２１には、ステップ９において射出される材料を受ける凹部があり、これによって、いずれの飛び散らかしをも防ぐ。図４の例に示しているように、ステップ９は、バランス２１のリム２３の凹部２４2、２４4において受けた少なくとも２つの同一の質量体２５2、２５4に補正値を分けて、計時器を正確に調整することを伴う。
【００３８】
もちろん、本発明は、図示した例には限定されず、当業者によって考えられる様々な変種や変更が可能である。具体的には、ケースに入れられたムーブメントが自動巻き機構を有する場合、このようなムーブメントを傾斜させて、振動する質量体がバランスを隠さないようにすることができる。
【００３９】
また、リム１３、２３ではない場所、例えば、アーム１７、２７やハブ１９、２９、に材料を堆積させることを考えることができる。
【図１】
2019526047.tif 000006
【図２】
2019526047.tif 000007
【図３】
2019526047.tif 000008
【図４】
2019526047.tif 000009
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
計時器のレートを調整する方法（１）であって、
バランス／バランスばね共振器を備えるムーブメントを裏蓋がない又は裏蓋全体がない計時器用ケース内に配置するステップ（３）と、
計時器のレートを測定するステップ（５）と、
所望のレートを得るようにバランス（１１、２１）の慣性に適用する補正値を決めるステップ（７）と、及び
前記裏蓋がない又は裏蓋全体がないケース内に前記ムーブメントを取り付け、前記バランス（１１、１２）に材料（１５1、１５2、１５3、１５4、２５2、２５4）を加えることによって、前記補正値に応じて前記バランス（１１、２１）の慣性を変えるステップ（９）と
を有する方法（１）。
【請求項２】
前記レートの測定は、前記バランス／バランスばね共振器と接触せずに行われる
請求項１に記載の方法（１）。
【請求項３】
前記レートの測定は、光学的又は音響的に行われる測定である
請求項１に記載の方法（１）。
【請求項４】
前記補正値は、前記バランスの重心を変えずに前記バランス（１１、２１）の慣性を変えるような前記バランスに対する少なくとも２つの質量体（１５1、１５2、１５3、１５4、２５2、２５4）の対称的な構成に対応している
請求項１に記載の方法（１）。
【請求項５】
前記補正値は、前記バランス（１１、２１）の慣性及び重心を変えるような前記バランス（１１、２１）に対する少なくとも１つの質量体（１５1、１５2、１５3、１５4、２５2、２５4）の非対称な構成に対応している
請求項２に記載の方法（１）。
【請求項６】
前記材料（１５1、１５2、１５3、１５4、２５2、２５4）の追加は、前記バランス（１１、２１）に対して材料（１５1、１５2、１５3、１５4、２５2、２５4）を射出する段階によって行われる
請求項１に記載の方法（１）。
【請求項７】
前記材料（１５1、１５2、１５3、１５4、２５2、２５4）は、接着剤、塗料又は金属懸濁液を含有する
請求項１に記載の方法（１）。
【請求項８】
材料（１５1、１５2、１５3、１５4、２５2、２５4）を射出する段階があり、その後に、射出された材料（１５1、１５2、１５3、１５4、２５2、２５4）を固化させる段階がある
請求項１に記載の方法（１）。
【国際調査報告】
2019526047.tif 000010
2019526047.tif 000011
2019526047.tif 000012
2019526047.tif 000013